(57)【要約】【課題】複数の光リンクにより入力される映像コンテンツを高効率かつダイナミックに経路切替可能なビデオスイッチャを提供する。【解決手段】映像コンテンツ毎に複数の光リンクを収容し、映像コンテンツ毎に前記複数の光リンクの信号を１本のファイバーに波長多重する複数の合波フィルタ部と、前記光リンクのスイッチングポイントのタイミングを監視する監視部と、前記監視部から通知されたスイッチングポイントのタイミングを基点に光経路切替を制御する制御部と、前記制御部からの光経路切替制御信号に応じて、前記複数の合波フィルタ部によりそれぞれ波長多重された光信号の経路を切替えて出力する光スイッチ部とを有する。【選択図】図３
2018157378.tif 000002
【特許請求の範囲】
【請求項１】
映像コンテンツ毎に複数の光リンクを収容し、映像コンテンツ毎に前記複数の光リンクの信号を１本のファイバーに波長多重する複数の合波フィルタ部と、
前記光リンクのスイッチングポイントのタイミングを監視する監視部と、
前記監視部から通知されたスイッチングポイントのタイミングを基点に光経路切替を制御する制御部と、
前記制御部からの光経路切替制御信号に応じて、前記複数の合波フィルタ部によりそれぞれ波長多重された光信号の経路を切替えて出力する光スイッチ部と
を有することを特徴とするビデオスイッチャ。
【請求項２】
前記複数の合波フィルタ部と前記光スイッチ部の接続経路に設けられる、前記監視部によるスイッチングポイントの検出タイミングの遅延時間を調整するディレイライン
を更に有することを特徴とする請求項１に記載のビデオスイッチャ。
【請求項３】
前記制御部は、前記監視部から通知されたスイッチングポイントのタイミングを基点に遅延時間を計数し、所定の計数値に達したタイミングで前記光スイッチ部の切替制御を行う
ことを特徴とする請求項１に記載のビデオスイッチャ。
【請求項４】
前記光スイッチ部が出力するフレームの各ラインに含まれるチェックコードをチェックするラインエラーチェック部を更に有し、
前記制御部は、前記所定の計数値を変化させて前記光スイッチ部の切替制御を行い、前記ラインエラーチェック部からエラー情報が通知されない前記所定の計数値を決定する
ことを特徴とする請求項３に記載のビデオスイッチャ。
【請求項５】
前記光スイッチ部が出力するフレームの各ラインに含まれるチェックコードをチェックするラインエラーチェック部を更に有し、
前記制御部は、前記監視部から通知されたスイッチングポイントのタイミングに所定の遅延時間を与え、前記所定の遅延時間を変化させて前記光スイッチ部の切替制御を行い、前記ラインエラーチェック部からエラー情報が通知されない前記所定の遅延時間であって、スイッチングポイント期間の前半位置に対応する遅延時間を決定する
ことを特徴とする請求項１に記載のビデオスイッチャ。
【請求項６】
前記監視部は、いずれかの前記光リンクと前記合波フィルタ部の接続経路に直列に挿入された光／電気変換部および電気／光変換部の前記光／電気変換部の出力信号を入力する
ことを特徴とする請求項１乃至５のいずれか一項に記載のビデオスイッチャ。
【請求項７】
前記監視部は、いずれかの前記光リンクと前記合波フィルタ部の接続経路に挿入された光分波部の分岐出力の後段に設けられた光／電気変換部の出力信号を入力する
ことを特徴とする請求項１乃至５のいずれか一項に記載のビデオスイッチャ。
【請求項８】
前記合波フィルタ部と前記光スイッチ部の接続経路の長さが不定である場合に、
前記監視部は、映像コンテンツ毎の前記接続経路の前記光スイッチ部近傍に挿入された波長ドロップ部から所定波長の信号を取得し、
前記制御部は、映像コンテンツ毎の前記監視部から通知されたスイッチングポイントのタイミングから映像コンテンツ毎の遅延時間を検出し、前記波長ドロップ部の後段に挿入されたディレイラインを制御して位相合わせを行う
ことを特徴とする請求項１乃至７のいずれか一項に記載のビデオスイッチャ。
【請求項９】
前記合波フィルタ部と前記光スイッチ部の接続経路の長さが不定である場合に、
前記監視部は、映像コンテンツ毎の前記接続経路の前記光スイッチ部近傍に挿入された波長ドロップ部から所定波長の信号を取得し、
前記制御部は、映像コンテンツ毎の前記監視部から通知されたスイッチングポイントのタイミングから映像コンテンツ毎の遅延時間を検出し、映像コンテンツ毎に設けられたフレームシンクロナイザーに対して前記遅延時間を相殺するための遅延を与えるように指示する
ことを特徴とする請求項１乃至７のいずれか一項に記載のビデオスイッチャ。
【請求項１０】
映像コンテンツ毎に複数の光リンクを収容し、映像コンテンツ毎に前記複数の光リンクの信号を１本のファイバーに波長多重する複数の合波フィルタ部と、
前記複数の合波フィルタ部によりそれぞれ波長多重された光信号の経路を切替えて出力する光スイッチ部と、
前記複数の合波フィルタ部と前記光スイッチ部の接続経路に設けられるディレイラインと、
前記光スイッチ部が出力するフレームの各ラインに含まれるチェックコードをチェックするラインエラーチェック部と、
前記ラインエラーチェック部からエラー情報が通知されないタイミングに前記ディレイラインを調整し、該タイミングで前記光スイッチ部の切替制御を行う制御部と
を有することを特徴とするビデオスイッチャ。
【請求項１１】
複数の合波フィルタ部により、映像コンテンツ毎に複数の光リンクを収容し、映像コンテンツ毎に前記複数の光リンクの信号を１本のファイバーに波長多重し、
監視部により、前記光リンクのスイッチングポイントのタイミングを監視し、
前記監視部から通知されたスイッチングポイントのタイミングを基点に、制御部により光経路切替を制御し、
前記制御部からの光経路切替制御信号に応じて、光スイッチ部により、前記複数の合波フィルタ部によりそれぞれ波長多重された光信号の経路を切替えて出力する
ことを特徴とするビデオスイッチ方法。
【請求項１２】
複数の合波フィルタ部により、映像コンテンツ毎に複数の光リンクを収容し、映像コンテンツ毎に前記複数の光リンクの信号を１本のファイバーに波長多重し、
ディレイラインにより、前記複数の合波フィルタ部によりそれぞれ波長多重された光信号に遅延を与え、
光スイッチ部により、前記複数の合波フィルタ部によりそれぞれ波長多重された遅延後の光信号の経路を切替えて出力し、
ラインエラーチェック部により、前記光スイッチ部が出力するフレームの各ラインに含まれるチェックコードをチェックし、
制御部により、前記ラインエラーチェック部からエラー情報が通知されないタイミングに前記ディレイラインを調整し、該タイミングで前記光スイッチ部の切替制御を行う
ことを特徴とするビデオスイッチ方法。
【発明の詳細な説明】
【技術分野】
【０００１】
本発明はビデオスイッチャおよびビデオスイッチ方法に関する。
【背景技術】
【０００２】
近年、放送用設備として、光データ伝送に複数の光リンクを用いる方式を採用した映像伝送装置が増えてきており、それらの装置において映像データ転送経路を切替える機能を有する機器はビデオスイッチャと呼ばれている。
【０００３】
平成２７年に一般財団法人電波産業会で改定された超高精細度テレビジョン信号スタジオ機器間インタフェース規格（ARIB-STD-B58）においては、従来の２Ｋ、４Ｋテレビジョンから次世代の８Ｋテレビジョンの信号フォーマットおよび伝送に用いられる物理層の規定が定義されている。
【０００４】
８Ｋテレビジョンにおいては、１画面辺り７６８０×４３２０×３の最小色信号コンポーネントから構成されるフレームのデータが１秒当たり６０回もしくは１２０回、伝送される。例えば、色信号コンポーネント（Ｇ：Ｂ：Ｒ）が４：４：４の比率で、かつ１秒当たり１２０回のフレームが伝送される場合には、１０Ｇリンク信号として定義された物理インタフェースが２４リンク使用される。物理インタフェースは、１０Ｇリンク信号が複数のマルチモードファイバーを用いて伝送される方式と、１０Ｇリンク信号毎に異なる波長帯が割り当てられて多重されるＤＷＤＭ波長多重技術が用いられた１本のシングルモードファイバーにより伝送される方式とが定義されている。
【０００５】
また、補助データについては、同協会にて平成２４年に改定された１１２５／６０方式ＨＤＴＶビット直列インタフェースにおける補助データの共通規格（BTA S-005）における規定がそのまま踏襲されている。
【０００６】
図１は従来の電気スイッチアーキテクチャによるビデオスイッチャの構成例を示す図であり、Ａ系の映像コンテンツを伝送する光リンク＃１〜＃ｎと、Ｂ系の映像コンテンツを伝送する光リンク＃１〜＃ｎとが、２つの経路に切り替えられるようになっている。各光リンクは１０Ｇリンクである。
【０００７】
図１において、Ａ系の映像コンテンツの光リンク＃１〜＃ｎとＢ系の映像コンテンツの光リンク＃１〜＃ｎはそれぞれ光／電気変換部（Optical/Electronic）ＯＥに接続され、光信号から電気信号に変換されて電気スイッチ部ＳＷに入力される。電気スイッチ部ＳＷは、クロスバスイッチ、アナログスイッチまたはＦＰＧＡ（Field Programmable Gate Array）等のデバイスである。そして、電気スイッチ部ＳＷ内部で経路切替がされて出力される信号は、それぞれ電気／光変換部（Electronic/Optical）ＥＯにより電気信号から光信号に変換され、２系統の映像コンテンツの光リンク＃１〜＃ｎにそれぞれ接続される。
【０００８】
電気スイッチ部ＳＷでの切替タイミングは、図２に示されるように、フレーム中の補助データライン「７」にスイッチングポイント（切替許容期間）として定義されており、その期間内に切替が行われる。なお、このスイッチングポイント期間は約６．４６μsecである。
【先行技術文献】
【特許文献】
【０００９】
【特許文献１】特開２００６−３１０９４６号公報
【発明の概要】
【発明が解決しようとする課題】
【００１０】
上述した電気スイッチアーキテクチャによるビデオスイッチャでは、光信号が電気信号に変換され、経路切替の後に再び光信号に変換されるため、多くのデバイスが必要とされ、消費電力およびコストの増大が課題となっていた。
【００１１】
一方、直接に光信号の状態で経路を切り替える方式として、例えば大規模光スイッチに代表されるＭＥＭＳ（Micro Electro Mechanical Systems）スイッチがある。ただし、ＭＥＭＳスイッチは、切替時間が数msecオーダといった低速であることから、主に回線冗長切替やメンテナンス、検査、パッチ用途等の静的なデータ切替の用途に制限される（例えば、特許文献１を参照）。
【００１２】
また、切替時間がnsecオーダといった高速なＰＬＺＴ（(Pb,La)(Zr,Tr)O3：チタン酸ジルコン酸ランタン鉛）光スイッチが、切替時間の観点からは有望である。しかし、ＰＬＺＴ光スイッチ等はポート（Port）数が少なく、複数の光リンクの集線が困難である。
【００１３】
これらの課題は、前述のARIB-STD-B58で規定される複数の１０Ｇリンクを用いてデータを伝送するシステムへのダイナミックな映像コンテンツ経路切替を阻害する要因となっている。
【００１４】
本発明は上記の従来の問題点に鑑み提案されたものであり、その目的とするところは、複数の光リンクにより入力される映像コンテンツを高効率かつダイナミックに経路切替可能なビデオスイッチャを提供することにある。
【課題を解決するための手段】
【００１５】
上記の課題を解決するため、本発明にあっては、映像コンテンツ毎に複数の光リンクを収容し、映像コンテンツ毎に前記複数の光リンクの信号を１本のファイバーに波長多重する複数の合波フィルタ部と、前記光リンクのスイッチングポイントのタイミングを監視する監視部と、前記監視部から通知されたスイッチングポイントのタイミングを基点に光経路切替を制御する制御部と、前記制御部からの光経路切替制御信号に応じて、前記複数の合波フィルタ部によりそれぞれ波長多重された光信号の経路を切替えて出力する光スイッチ部とを有する。
【発明の効果】
【００１６】
本発明にあっては、複数の光リンクにより入力される映像コンテンツを高効率かつダイナミックに経路切替可能となる。
【図面の簡単な説明】
【００１７】
【図１】従来の電気スイッチアーキテクチャによるビデオスイッチャの構成例を示す図である。
【図２】ＡＲＩＢ規格で定義されたスイッチングポイントの概要図である。
【図３】本発明の第１の実施形態にかかるビデオスイッチャの構成例を示す図である。
【図４】光リンクと監視部の接続の例を示す図（その１）である。
【図５】光リンクと監視部の接続の例を示す図（その２）である。
【図６】第１の実施形態における信号変化のタイミング例を示す図である。
【図７】本発明の第２の実施形態にかかるビデオスイッチャの構成例を示す図である。
【図８】本発明の第３の実施形態にかかるビデオスイッチャの構成例を示す図である。
【図９】第３の実施形態における信号変化のタイミング例を示す図である。
【図１０】本発明の第４の実施形態にかかるビデオスイッチャの構成例を示す図である。
【図１１】本発明の第５の実施形態にかかるビデオスイッチャの構成例を示す図である。
【図１２】第５の実施形態における遅延量およびエラー有無と切替タイミングの決定の例を示す図である。
【図１３】本発明の第６の実施形態にかかるビデオスイッチャの構成例を示す図である。
【図１４】第６の実施形態において位相が調整される例を示す図である。
【図１５】本発明の第７の実施形態にかかるビデオスイッチャの構成例を示す図である。
【図１６】本発明の第８の実施形態にかかるビデオスイッチャの構成例を示す図である。
【図１７】第８の実施形態において位相が調整される例を示す図である。
【発明を実施するための形態】
【００１８】
以下、本発明の好適な実施形態につき説明する。
【００１９】
＜第１の実施形態＞
図３は本発明の第１の実施形態にかかるビデオスイッチャ１の構成例を示す図である。図３において、切替の対象となる２種以上の映像コンテンツはＡ系とＢ系の２つが示されているが、それ以上であってももちろんよい。各系の映像コンテンツを伝送する光リンク＃１〜＃ｎはそれぞれ１０Ｇリンクが想定されており、リンク数（信号数）としては、映像コンテンツの色信号コンポーネントの種別により変動するが、少なくとも２４リンクを上限に、６リンク以上が使用される。また、各系の光リンク＃１〜＃ｎは、ＤＷＤＭ（Dense Wavelength Division Multiplexing）のために、ITU-TG.694.1に準じた波長λ１〜λｎが割り当てられている。更に、各系の光リンク＃１〜＃ｎは、フレームシンクロナイザと呼ばれる装置により、フレーム同期がとられたものとなっている。これは、例えば、カメラ、編集機、レコーダ等の映像をブロードキャストする際に使用される各種インフラが非同期であるとフレームタイミングがずれて画像が乱れるため、予め同期させておく必要があるからである。
【００２０】
Ａ系の映像コンテンツを伝送する光リンク＃１〜＃ｎは合波フィルタ部１０１Ａに入力（収容）され、Ｂ系の映像コンテンツを伝送する光リンク＃１〜＃ｎは合波フィルタ部１０１Ｂに入力（収容）される。そして、それぞれ合波されて波長多重された光信号として、それぞれ１本のファイバーに出力される。合波フィルタ部１０１Ａ、１０１Ｂの出力はＰＬＺＴ光スイッチ等の光スイッチ部１０２に入力され、合波された映像コンテンツ単位で選択された光信号が出力される。なお、２系統（多系統も可）の映像コンテンツの光信号のうち一方が選択されて出力される場合に限らず、２系統（多系統も可）のそれぞれが異なる経路に出力されるようなものでもよい。２系統から一方が出力される場合、２×１ポートの光スイッチ部１０２が用いられ、２系統のそれぞれが別経路に出力される場合は２×２ポートの光スイッチ部１０２が用いられる。
【００２１】
一方、いずれかの光リンク（図示の例ではＢ系の光リンク＃２）の信号からスイッチングポイントのタイミングを監視する監視部１０３と、オペレータから切替操作を受け付ける操作部１０４と、監視部１０３で監視されるスイッチングポイントとユーザからの切替操作に応じ、光スイッチ部１０２の切替制御を行う制御部１０５とが設けられている。操作部１０４は、オペレータが選択したい映像コンテンツを制御部１０５に通知できればよく、例えばＰＣ（Personal Computer）を用いたＣＬＩ（Command Line Interface）、ＧＵＩ（Graphical User Interface）の他、メカニカルな押ボタンスイッチで構成されるものでもよい。制御部１０５は、監視部１０３から通知されたスイッチングポイント情報を元に、光スイッチ部１０２の切替タイミングを調整し、かつ、操作部１０４からの映像コンテンツ選択情報に応じて光スイッチ部１０２の切替制御を行う。
【００２２】
図４は光リンクと監視部１０３の接続の例を示す図である。図４において、例えば、Ｂ系の映像コンテンツの光リンク＃２と合波フィルタ部１０１Ｂとの接続経路には光／電気変換部１０６と電気／光変換部１０７が直列に挿入され、光／電気変換部１０６の出力が監視部１０３に入力されている。この構成によれば、光／電気変換部１０６と電気／光変換部１０７が必要になるが、１０Ｇリンクの１リンク分で済むため、従来の電気スイッチアーキテクチャのビデオスイッチャ（図１）と比較し、消費電力およびコストの増大は問題とならない。
【００２３】
図５は光リンクと監視部１０３の接続の他の例を示す図である。図５において、例えば、Ｂ系の映像コンテンツの光リンク＃２と合波フィルタ部１０１Ｂとの接続経路には光分波部１０８の主経路が挿入され、分岐経路には光／電気変換部１０９が接続され、光／電気変換部１０９の出力が監視部１０３に入力されている。この構成によれば、光分波部１０８と光／電気変換部１０９を設けるだけで済むため、図４の構成よりも消費電力およびコストの低減が可能となる。
【００２４】
図４および図５に示された光リンクと監視部１０３の接続の手法は、監視部１０３を用いる後述の実施形態においても適用が可能である。
【００２５】
図６は第１の実施形態における信号変化のタイミング例を示す図である。図６において、各映像コンテンツのストリームは、前述のようにフレームシンクロナイザにより予めフレーム同期が取られている。そして、監視部１０３によりスイッチングポイントの先頭部分で検出パルスが制御部１０５に通知され、制御部１０５は、現時点で光スイッチ部１０２により選択されている映像ストリームと操作部１０４により要求される映像ストリームとが異なる場合、その後の検出パルスのタイミング（図示の例では立ち下がりのタイミング）で光スイッチ部１０２の切替を行う。
【００２６】
＜第２の実施形態＞
図７は本発明の第２の実施形態にかかるビデオスイッチャ１の構成例を示す図であり、監視部１０３により検出されたスイッチングポイントのタイミングと、光スイッチ部１０２に入力される映像フレームのスイッチングポイントのタイミングあるいは実際に切替が行われるタイミングとの間に大きな遅延時間が発生する場合に対処したものである。遅延時間が発生する原因としては、光ファイバー遅延時間、監視部１０３を構成するロジック等の遅延時間、光スイッチ部１０２自体の切替時間が挙げられ、そのままでは光スイッチ部１０２での切替がスイッチングポイント期間内に収まらない場合も想定される。
【００２７】
図７において、合波フィルタ部１０１Ａ、１０１Ｂと光スイッチ部１０２の接続経路にはそれぞれ光ファイバー長を調整するディレイライン１１０Ａ、１１０Ｂが設けられ、監視部１０３により検出されたスイッチングポイントのフレームの次のフレームのスイッチングポイントまで遅延させるようになっている。Ａ系・Ｂ系の映像コンテンツはフレームシンクロナイザによってフレーム同期がとられているという前提であるため、ディレイライン１１０Ａ、１１０Ｂによる付加される遅延は同量となる。
【００２８】
これにより、スイッチングポイント期間内に光スイッチ部１０２での切替が完了するようになる。
【００２９】
＜第３の実施形態＞
図８は本発明の第３の実施形態にかかるビデオスイッチャ１の構成例を示す図であり、ディレイラインを使用せずに、制御部１０５の機能により遅延時間に対処するようにしたものである。
【００３０】
図８において、制御部１０５には遅延カウンタ１１１が設けられ、監視部１０３から通知されるスイッチングポイントの検出パルス到来から所定クロックのカウントを開始し、制御部１０５は所定のカウント値に達した際に光スイッチ部１０２の切替を行うようにしている。他の構成は図３に示されたものと同様である。
【００３１】
図９は第３の実施形態における信号変化のタイミング例を示す図である。図９において、監視部１０３によりスイッチングポイントの先頭部分から遅延αのタイミングで検出パルスが制御部１０５に通知されると、制御部１０５の遅延カウンタ１１１は所定の内部クロックに基づいてカウントを開始する。そして、カウント値が次のフレームのスイッチングポイント期間の適切なタイミングに対応する所定の値（図示の例では「６」）になった場合、現時点で光スイッチ部１０２により選択されている映像ストリームと操作部１０４により要求される映像ストリームとが異なることを条件に、光スイッチ部１０２の切替を行う。
【００３２】
＜第４の実施形態＞
図１０は本発明の第４の実施形態にかかるビデオスイッチャ１の構成例を示す図であり、遅延時間に対する調整が自動的に行われるようにしたものである。
【００３３】
図１０において、光スイッチ部１０２の出力にはラインエラーチェック部１１２が接続され、出力される映像コンテンツの任意の光リンクのフレームから、フレーム中の各ライン毎に設けられたチェックコードがチェックされ、その結果が制御部１０５に通知されるようになっている。チェックコードとしては、ＣＲＣＣ（Cyclic Redundancy Check Code）のほか、データの１０Ｂコードのパリティ等が使用可能である。なお、ラインエラーチェック部１１２の入力側の接続の実装としては、図５に示された光分波部１０８および光／電気変換部１０９と同様に、図１０における光スイッチ部１０２の出力経路に光分波部が設けられ、その分岐経路に接続される光／電気変換部の出力がラインエラーチェック部１１２に入力される。以後の実施形態におけるラインエラーチェック部１１２についても同様である。他の構成は図８に示されたものと同様である。
【００３４】
制御部１０５は、自動調整時に、切替制御を行う所定のカウント値（遅延カウント値）をインクリメントもしくはデクリメントする毎に、遅延カウント値に基づいて光スイッチ部１０２の切替を行い、ラインエラーチェック部１１２から送られたＣＲＣＣエラー情報を監視する。そして、制御部１０５は、ＣＲＣＣエラーが発生しない時点まで遅延カウント値の調整を行い、遅延カウント値の最適値を決定する。
【００３５】
＜第５の実施形態＞
図１１は本発明の第５の実施形態にかかるビデオスイッチャ１の構成例を示す図であり、遅延時間に対する調整が自動的に行われるとともに、より適切なタイミングに調整が行われるようにしたものである。
【００３６】
図１１において、制御部１０５には、監視部１０３から通知される検出パルスに対して微少なΔｔを単位に遅延時間の増加・減少を行うことのできる遅延挿入部１１３が設けられている。また、光スイッチ部１０２の出力にはラインエラーチェック部１１２が接続され、出力される映像コンテンツの任意の光リンクのフレームから、フレーム中の各ライン毎に設けられたチェックコード（ＣＲＣＣ）がチェックされ、その結果が制御部１０５に通知されるようになっている。他の構成は図３に示されたものと同様である。
【００３７】
図１２は第５の実施形態における遅延量およびエラー有無と切替タイミングの決定の例を示す図である。図１２（ａ）は、遅延挿入部１１３による遅延時間が０からΔｔずつ増加されていった場合におけるラインエラーチェック部１１２によるエラーの有無を「○」（エラーなし）と「×」（エラーあり）で示した例である。この場合、制御部１０５は、単にエラーなしのタイミングに達したタイミングを切替制御のタイミングとするのではなく、図１２（ｂ）に示されるように、例えば、「×」が続いた後に「○」に変化して「○」が２つ続いたタイミングが切替制御のタイミングとされる。これは、光信号にはジッターがあり、「×」から「○」に変わってすぐの場合、長期利用の際にエラーとなることを避けるためである。また、「○」の区間の後ろの方、すなわちスイッチングポイント期間の後半の場合、後続の回路では高速シリアル転送方式の「８Ｂ１０Ｂ」によりワード同期がとられ、最悪２ワードのエラーがおこる可能性があるため、エラーが起こったワードが例えば画像信号等の有効データであることを避けるためである。そのため、「○」の期間の前半に切替タイミングが設定される。
【００３８】
これにより、スイッチングポイント期間の中でも、最適なタイミングでの光スイッチ部１０２の切替制御が可能になる。
【００３９】
＜第６の実施形態＞
図１３は本発明の第６の実施形態にかかるビデオスイッチャ１の構成例を示す図であり、各系の映像コンテンツを合波する合波フィルタ部が光スイッチ部から離れた場所に存在する場合の例である。一般に映像コンテンツはスタジオ等において生成されるものであり、光ファイバーの効率利用のため、スタジオ側に合波フィルタ部が設けられることが有利となる場合がある。
【００４０】
図１３において、Ａ系の映像コンテンツを伝送する光リンク＃１〜＃ｎを合波する合波フィルタ部１０１Ａは送信部１１Ａに設けられ、Ｂ系の映像コンテンツを伝送する光リンク＃１〜＃ｎを合波する合波フィルタ部１０１Ｂは送信部１１Ｂに設けられ、それぞれで合波された光信号は長さが不定のファイバを介してスイッチ部１２に集線されるようになっている。スイッチ部１２では、Ａ系の合波信号が波長ドロップ部１１４Ａおよびディレイライン１１０Ａを介して光スイッチ部１０２に入力され、Ｂ系の合波信号は波長ドロップ部１１４Ｂおよびディレイライン１１０Ｂを介して光スイッチ部１０２に入力される。また、波長ドロップ部１１４Ａ、１１４Ｂからドロップされた信号（例えば、波長λ２の信号）からスイッチングポイントのタイミングを監視する監視部１０３Ａ、１０３Ｂが設けられ、監視部１０３Ａ、１０３Ｂからスイッチングポイントの検出パルスが制御部１０５に通知されるようになっている。また、制御部１０５は、光スイッチ部１０２の切替制御を行うほかに、監視部１０３Ａ、１０３Ｂから通知される検出パルスのタイミングのずれに応じて、ディレイライン１１０Ａ、１１０Ｂの遅延を制御するようになっている。操作部１０４はこれまでの実施形態で説明されたものと同様である。ラインエラーチェック部１１２については、監視部１０３Ａ、１０３Ｂ等に起因して生じる遅延時間を自動調整する際に設けられる。
【００４１】
Ａ系の映像コンテンツの送信部１１ＡとＢ系の映像コンテンツの送信部１１Ｂとがスイッチ部１２から離れた場所に存在する場合、フレームシンクロナイザによってＡ系・Ｂ系の映像コンテンツはフレームレベルでは同期がとられているが、光ファイバー長やスタジオのロケーションにより、スイッチ部１２に到達する時点での位相はずれたものとなる。そのため、光スイッチ部１０２に入力される前の段階で、それぞれの位相を合わせる必要がある。
【００４２】
本実施形態では、監視部１０３Ａ、１０３Ｂから通知される検出パルスのタイミングのずれに応じて、制御部１０５がディレイライン１１０Ａ、１１０Ｂの遅延を制御することで、光スイッチ部１０２に入力されるＡ系・Ｂ系の映像コンテンツの位相合わせが行われる。
【００４３】
図１４は第６の実施形態において位相が調整される例を示す図である。図１４（ａ）はＡ系とＢ系の映像コンテンツの間に遅延が発生している初期の状態を示しており、図１４（ｂ）は位相の進んだＡ系の映像コンテンツが遅延されることで、両系の位相が一致した状態を示している。
【００４４】
その後の光スイッチ部１０２の切替制御や監視部１０３Ａ、１０３Ｂ等に起因して生じる遅延時間への対処は、前述した実施形態と同様に行われる。
【００４５】
＜第７の実施形態＞
図１５は本発明の第７の実施形態にかかるビデオスイッチャ１の構成例を示す図であり、送信部１１Ａ、１１Ｂからスイッチ部１２に到達する映像コンテンツの位相合わせをスイッチ部１２側で行うのではなく、送信部１１Ａ、１１Ｂ側に設けられたフレームシンクロナイザ２Ａ、２Ｂを利用して行うようにしたものである。
【００４６】
図１５において、スイッチ部１２にディレイライン１１０Ａ、１１０Ｂがない点と、制御部１０５から送信部１１Ａ、１１Ｂ側に設けられたフレームシンクロナイザ２Ａ、２Ｂに遅延制御信号が送信される以外は、図１３と同様である。
【００４７】
本実施形態では、監視部１０３Ａ、１０３Ｂから通知される検出パルスのタイミングのずれに応じて、制御部１０５は両系の位相のずれを検出し、位相の進んだ系のフレームシンクロナイザ（２Ａｏｒ２Ｂ）に遅延制御信号を送信する。遅延制御信号を受信したフレームシンクロナイザ（２Ａｏｒ２Ｂ）は、以後、信号の送信を遅延させ、その結果、スイッチ部１２に到達する両系の映像コンテンツの位相は一致することとなる。
【００４８】
その後の光スイッチ部１０２の切替制御や監視部１０３Ａ、１０３Ｂ等に起因して生じる遅延時間への対処は、前述した実施形態と同様に行われる。
【００４９】
＜第８の実施形態＞
図１６は本発明の第８の実施形態にかかるビデオスイッチャ１の構成例を示す図であり、監視部を省略したものである。図１６では、図１３に示された構成から、波長ドロップ部１１４Ａ、１１４Ｂと監視部１０３Ａ、１０３Ｂとが除去され、ラインエラーチェック部１１２が必須のものとされた場合について示されているが、前述した実施形態にも適用することができる。すなわち、送信部１１Ａ、１１Ｂからスイッチ部１２に到達する映像コンテンツの位相合わせだけではなく、本来的な光スイッチ部１０２の切替制御のタイミング調整も行われる。
【００５０】
本実施形態では、自動調整時に、Ａ系とＢ系のそれぞれについて他方の信号を流さない状態で調整が行われる。なお、光スイッチ部１０２の切替えのＯＮ／ＯＦＦ／ＯＮを短時間（例えば、１０ｎｓ）で行い、わざと切替のタイミングでビットのエラーを起こすようにすれば、他方の信号を流した状態でもよい。
【００５１】
制御部１０５は、独自の切替タイミングに対してラインエラーチェック部１１２においてエラーが検出されないようなタイミング（前述のようにスイッチングポイント期間の前半が望ましい）にディレイライン１１０Ａ、１１０Ｂの遅延時間を調整するため、両系について位相が合い、かつ光スイッチ部１０２の切替タイミングについてもスイッチングポイントに対して適切なものとなる。
【００５２】
図１７は第８の実施形態において位相が調整される例を示す図である。図１７（ａ）に示されるように、Ａ系の映像コンテンツは制御部１０５の独自の切替タイミングにおいてエラーが生じないタイミングまで遅延され、Ｂ系の映像コンテンツについても図１７（ｂ）に示されるように同じタイミングまで遅延されるため、両系の位相が合うとともに、光スイッチ部１０２の切替制御のタイミング調整も行われる。その結果、監視部は不要となる。
【００５３】
＜総括＞
以上説明したように、本実施形態によれば、複数の光リンクにより入力される映像コンテンツを高効率かつダイナミックに経路切替可能となる。
【００５４】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【符号の説明】
【００５５】
１                              ビデオスイッチャ
１０１、１０１Ａ、１０１Ｂ      合波フィルタ部
１０２                          光スイッチ部
１０３、１０３Ａ、１０３Ｂ      監視部
１０４                          操作部
１０５                          制御部
１０６                          光／電気変換部
１０７                          電気／光変換部
１０８                          光分波部
１０９                          光／電気変換部
１１０、１１０Ａ、１１０Ｂ      ディレイライン
１１１                          遅延カウンタ
１１２                          ラインエラーチェック部
１１３                          遅延挿入部
１１４、１１４Ａ、１１４Ｂ      波長ドロップ部
１１、１１Ａ、１１Ｂ            送信部
１２                            スイッチ部
２、２Ａ、２Ｂ                  フレームシンクロナイザ
【図１】
2018157378.tif 000003
【図２】
2018157378.tif 000004
【図３】
2018157378.tif 000005
【図４】
2018157378.tif 000006
【図５】
2018157378.tif 000007
【図６】
2018157378.tif 000008
【図７】
2018157378.tif 000009
【図８】
2018157378.tif 000010
【図９】
2018157378.tif 000011
【図１０】
2018157378.tif 000012
【図１１】
2018157378.tif 000013
【図１２】
2018157378.tif 000014
【図１３】
2018157378.tif 000015
【図１４】
2018157378.tif 000016
【図１５】
2018157378.tif 000017
【図１６】
2018157378.tif 000018
【図１７】
2018157378.tif 000019